(57)【要約】【課題】突出した端子部を備えたバッテリーパックを複数個収容可能で、しかもバッテリーパックの容易な脱落を回避できるようにした小型のバッテリー装置を提供する  【解決手段】第１及び第２のバッテリーパック２００−６，２００−７は、突出した端子部２００−８を有する。バッテリー装置１００は、第１及び第２のバッテリーパックを配置可能で、第１の方向に並んだ第１及び第２のバッテリー配置部２００Ａ，２００Ｂと、第１のバッテリー配置部における第２のバッテリー配置部側端部に設けられ、第１のバッテリーパックの端子部が接続される第１の端子部２００−１と、第２のバッテリー配置部における第１のバッテリー配置部側端部のうち第２の方向にて第１の端子部に対してずれた位置に設けられ、第２のバッテリーパックの端子部が接続される第２の端子部２００−２と、第１及び第２の端子部の少なくとも一部を覆うカバー部２００−３とを有する。【選択図】図５
2009170236.tif 000002
【特許請求の範囲】
【請求項１】
第１のバッテリーパック及び第２のバッテリーパックを収容可能なバッテリー装置であって、
前記第１及び第２のバッテリーパックはそれぞれ、その端面から突出した端子部を有し、
該バッテリー装置は、
前記第１及び第２のバッテリーパックをそれぞれ配置可能であり、第１の方向に並んだ第１のバッテリー配置部及び第２のバッテリー配置部と、
前記第１のバッテリー配置部における前記第２のバッテリー配置部側の端部に設けられ、前記第１のバッテリーパックの前記端子部が接続される第１の端子部と、
前記第２のバッテリー配置部における前記第１のバッテリー配置部側の端部のうち、前記第１の方向に直交する第２の方向にて前記第１の端子部に対してずれた位置に設けられ、前記第２のバッテリーパックの前記端子部が接続される第２の端子部と、
前記第１及び第２の端子部の少なくとも一部を覆うように設けられたカバー部とを有し、
前記カバー部は、前記第１及び第２の端子部に接続された前記第１及び第２のバッテリーパックの前記端子部に当接して該第１及び第２のバッテリーパックの前記第１及び第２のバッテリー配置部に対する動きを制限することを特徴とするバッテリー装置。
【請求項２】
前記カバー部の前記第１及び第２のバッテリー配置部の底面からの高さが、前記第１及び第２のバッテリー配置部に配置された前記第１及び第２のバッテリーパックの高さ以下であることを特徴とする請求項１に記載の電源装置。
【請求項３】
請求項１又は２に記載のバッテリー装置が着脱可能に装着され、該バッテリー装置からの電源供給を受けることを特徴とする撮像装置。
【請求項４】
請求項１又は２に記載のバッテリー装置を一体に有することを特徴とする撮像装置。
【発明の詳細な説明】
【技術分野】
【０００１】
本発明は、複数のバッテリーパックを収容可能なバッテリー装置に関し、特に、撮像装置に着脱可能に装着されて撮像装置に電源を供給するバッテリー装置に関する。
【背景技術】
【０００２】
撮像装置では、リチウムイオン電池、ニッケル水素電池、ニッケルカドミウム電池等の二次バッテリーパックや、アルカリ電池、マンガン電池等の一次電池を複数個組み込んだ一次バッテリーパックがバッテリー電源として用いられる。また、撮像装置の長時間の使用を可能とするために、撮像装置の外付けアクセサリとして、バッテリーパックを複数個収容して撮像装置に補助電源を供給するバッテリー装置が用いられる。
【０００３】
特許文献１には、バッテリーパックとバッテリー装着部の接触安定性を向上させるために、バッテリーパックのバッテリー側端子に溝構造を設け、バッテリー装着部にこれに対応した端子片を設けた構造が開示されている。
【０００４】
また、特許文献２には、一眼レフカメラ用のバッテリー電源として、小型化のために、カメラのグリップから近い側と遠い側とで電池の装着本数を異ならせたバッテリー装置が開示されている。
【特許文献１】特開２００４−３２７４４７号公報
【特許文献２】特開２００６−２２０７５９号公報
【発明の開示】
【発明が解決しようとする課題】
【０００５】
特許文献１にて開示されたバッテリーパックでは、該バッテリーパック内の電池セルがその長手方向に突出した端子部を備える。特許文献１のように、凸部がほとんどない、角型のバッテリーパックを形成することは可能であるが、内部の電池セルの大きさが同じであれば、凸部のあるなしにかかわらず長さはほとんど変わらない。このため、長手方向に突出した端子を残すようにバッテリーパックが形成される場合が多い。
【０００６】
しかしながら、このバッテリーパックを、例えば一眼レフカメラの縦位置グリップとして使用可能なバッテリー装置に複数個収容する場合、突出した端子を備えているために、バッテリー装置の外形が大きくなる。
【０００７】
また、特許文献２にて開示されたバッテリー装置は、単三電池のように小型の電池を複数本装着する場合には有効である。しかしながら、カメラ本体に装填されているバッテリーパックと共通のバッテリーパックをバッテリー装置にも収容する場合、個々のバッテリーパックが大きいために通常は２個程度のバッテリーパックしか装着できない。このため、グリップから近い側と遠い側とで電池の装着本数を異ならせてバッテリー装置の小型化を実現することは難しい。
【０００８】
本発明は、突出した端子部を備えたバッテリーパックを複数個収容可能で、しかもバッテリーパックの容易な脱落を回避できるようにした小型のバッテリー装置を提供する。
【課題を解決するための手段】
【０００９】
本発明の一側面としてのバッテリー装置は、第１のバッテリーパック及び第２のバッテリーパックを収容可能である。該第１及び第２のバッテリーパックはそれぞれ、その端面から突出した端子部を有する。そして、該バッテリー装置は、第１及び第２のバッテリーパックをそれぞれ配置可能であり、第１の方向に並んだ第１のバッテリー配置部及び第２のバッテリー配置部と、第１のバッテリー配置部における第２のバッテリー配置部側の端部に設けられ、第１のバッテリーパックの端子部が接続される第１の端子部と、第２のバッテリー配置部における第１のバッテリー配置部側の端部のうち、第１の方向に直交する第２の方向にて第１の端子部に対してずれた位置に設けられ、第２のバッテリーパックの端子部が接続される第２の端子部と、第１及び第２の端子部の少なくとも一部を覆うように設けられたカバー部とを有する。そして、カバー部は、第１及び第２の端子部に接続された第１及び第２のバッテリーパックの端子部に当接して該第１及び第２のバッテリーパックの第１及び第２のバッテリー配置部に対する動きを制限することを特徴とする。
【００１０】
なお、上記バッテリー装置が着脱可能に装着され、該バッテリー装置からの電源供給を受けて動作する撮像装置や、上記バッテリー装置を一体に有する撮像装置も本発明の他の側面を構成する。
【発明の効果】
【００１１】
本発明によれば、突出した端子部を備えた複数個のバッテリーパックを収容可能で、しかもバッテリーパックの容易な脱落を回避可能な小型のバッテリー装置を実現することができる。そして、このバッテリー装置を撮像装置に装着することで、バッテリー装置を含めた撮像システム全体の大型化を抑えることができる。
【発明を実施するための最良の形態】
【００１２】
以下、本発明の好ましい実施例について図面を参照しながら説明する。
【実施例１】
【００１３】
図１及び図２には、本発明の実施例１であるバッテリー装置１００を示している。バッテリー装置１００には、バッテリーパックの長手方向がバッテリー装置１００の長手方向と一致するように、図４に示すバッテリーパックマガジン２００が挿入されている。バッテリー装置１００には、バッテリーパックマガジン２００を挿抜するときに操作される挿入操作部材１００−２が設けられている。挿入操作部材１００−２は、バッテリーパックマガジン２００の外端面に設けられている。
【００１４】
バッテリー装置１００は、図３に示すように撮像装置（一眼レフデジタルカメラ）１１０に着脱可能に装着される。撮像装置１１０は、これに装着されたバッテリー装置１００から電源供給を受ける。
【００１５】
バッテリー装置１００を撮像装置１１０に装着する際、三脚ダイヤル１００−３が操作されることで、三脚ネジ１００−４が撮像装置１１０の不図示の三脚ネジ取付部に固定される。バッテリー装置１００が三脚ネジ取付部に固定されると、図１に示す外部接続部１００−５に配置された電源端子及び電気信号端子が撮像装置１１０の不図示の接続端子と接触する。これにより、バッテリー装置１００から撮像装置１１０への電源（補助電源）の供給や撮像装置１１０からのバッテリー装置１００の制御通信が可能となる。
【００１６】
撮像装置１１０にバッテリー装置１００を装着した際に後述する縦位置撮像用操作部材を使用可能とするために、バッテリー装置１００には、図２に示すように、縦位置切り替えスイッチ１０１−６が設けられている。この縦位置切り替えスイッチ１０１−６を使用可能位置（ＯＮ）に切り替えることで、縦位置撮像用操作部材を用いた撮像が可能となる。
【００１７】
縦位置撮像用操作部材は、レリーズスイッチ１０１−１、電子ダイヤル１０１−２、ＡＥ（オートエクスポージャー）／焦点検出ボタン１０１−３及びＡＦ（オートフォーカス）選択ボタン１０１−４を含む。また、縦位置撮像用操作部材は、ＡＶ（エクスポージャーバリュー）設定ボタン１０１−５も含む。
【００１８】
レリーズスイッチ１０１−１及び電子ダイヤル１０１−２は、バッテリー装置１００の前側（被写体側）に配置されている。また、ＡＥ／焦点検出ボタン１０１−３、ＡＦ選択ボタン１０１−４及びＡＶ設定ボタン１０１−５は、バッテリー装置１００の後側（撮影者側）に配置されている。これらの縦位置撮像用操作部材は、撮影者が右手で操作することを想定して配置されている。これらの縦位置撮像用操作部材を、撮像装置１１０を図３のように縦位置に構えた際に操作することで、撮影者は容易に撮像を行うことができる。
【００１９】
撮像装置１１０の底面には、ストラップを通すストラップ部１０１−７や三脚に取り付けるための三脚ネジ穴１０１−８が設けられている。
【００２０】
なお、縦位置撮像用操作部材は上述したものに限られず、他の機能を操作するための操作部材を含ませてもよい。また、上述した縦位置撮像用操作部材のうち一部が設けられていなくてもよい。
【００２１】
図４は、バッテリーパック装着前のバッテリーパックマガジン２００の上面図である。バッテリーパックマガジン２００には、バッテリーパックマガジン２００の長手方向（第１の方向）に並んだ第１のバッテリー配置部２００Ａ及び第２のバッテリー配置部２００Ｂが設けられている。第１のバッテリー配置部２００Ａ及び第２のバッテリー配置部２００Ｂにはそれぞれ、第１及び第２のバッテリーパック（これについては後述する）を配置可能である。
【００２２】
第１のバッテリー配置部２００Ａにおける第２のバッテリー配置部側の端部には、第１の端子部２００−１が設けられている。第１の端子部２００−１には、第１のバッテリー配置部２００Ａに配置された第１のバッテリーパックの端子部が接続される。また、第２のバッテリー配置部２００Ｂにおける第１のバッテリー配置部側の端部のうち、長手方向に直交する幅方向（第２の方向）にて第１の端子部２００−１に対してずれた位置には、第２の端子部２００−２が設けられている。すなわち、第１及び第２の端子部２００−１，２００−２は、互い違いに設けられている。第２の端子部２００−２には、第２のバッテリー配置部２００Ｂに配置された第２のバッテリーパックの端子部が接続される。
【００２３】
このように、バッテリーパックマガジン２００上の第１及び第２の端子２００−１，２００−２が第１及び第２のバッテリー配置部２００Ａ，２００Ｂの間において幅方向に位置がずれた互い違いの位置関係に配置されると以下の効果が得られる。すなわち、バッテリーパック２００−６，２００−７の突出した端子部２００−８を、互いに干渉しないように、バッテリーパックマガジン２００の長手方向において互いに近接した位置に又は重なった領域に配置することができる。これにより、第１及び第２のバッテリーパック２００−６，２００−７が配置されるバッテリーパックマガジン２００及びこれを収容するバッテリー装置１００の長手方向での小型化を図ることができる。
【００２４】
さらに、バッテリーパックマガジン２００における長手方向の中央（第１及び第２のバッテリー配置部２００Ａ，２００Ｂの間）には、板形状のカバー部２００−３が設けられている。カバー部２００−３は、第１及び第２の端子部２００−１，２００−２の一部又は全部（すなわち、少なくとも一部）を覆う形状を有する。カバー部２００−３の役割については、後述する。
【００２５】
図中の２００−４，２００−５は、第１及び第２のバッテリーパックのバッテリーパックマガジン２００に対する長手方向での動きを制限するように第１及び第２のバッテリーパックを第１及び第２の端子部２００−１，２００−２側に付勢するバネ部材である。
【００２６】
図５は、バッテリーパックマガジン２００に、第１及び第２のバッテリーパック２００−６，２００−７が装着された状態を示す上面図である。また、図６は、第１及び第２のバッテリーパック２００−６，２００−７として共通して用いられるバッテリーパックの斜視図である。
【００２７】
バッテリーパックの長手方向端面には、該端面から突出した端子部２００−８が形成されている。バッテリーパック２００−６，２００−７は、その長手方向及び幅方向がそれぞれ、バッテリーパックマガジン２００の長手方向及び幅方向に一致するように、第１及び第２のバッテリー配置部２００Ａ，２００Ｂ上に配置される。これにより、バッテリーパックマガジン２００及びバッテリー装置１００の幅方向での小型化を図ることができる。
【００２８】
バッテリーパック２００−６，２００−７は、それらの端子部２００−８がバッテリーパックマガジン２００上の第１及び第２の端子部２００−１，２００−２に接続される向きで第１及び第２のバッテリー配置部２００Ａ，２００Ｂ上に配置される。このとき、バネ部材２００−４，２００−５は、バッテリーパック２００−６、２００−７を第１及び第２の端子部２００−１，２００−２の方向に付勢する。これにより、バッテリーパック２００−６、２００−７の長手方向での動きが制限され、かつバッテリーパック２００−６，２００−７の端子部２００−８が第１及び第２の端子部２００−１，２００−２に押圧されて端子間の接続を確実にする。
【００２９】
さらに、バッテリーパック２００−６，２００−７の端子部２００−８は、その一部がバッテリー配置部２００Ａ，２００Ｂの底面とカバー部２００−３との間のスペースに挿入される。すなわち、カバー部２００−３が、バッテリーパック２００−６，２００−７の端子部２００−８の一部を覆う。このため、カバー部２００−３は、バッテリーパック２００−６，２００−７の端子部２００−８に当接してこれらバッテリーパック２００−６，２００−７のバッテリー配置部２００Ａ，２００Ｂからの動き（特に厚み方向の動き）を制限する役割を有する。これにより、バッテリーパック２００−６，２００−７のバッテリー配置部２００Ａ，２００Ｂからの脱落が阻止される。
【００３０】
なお、カバー部２００−３は、バッテリーパック２００−６，２００−７が装着されていない状態において、第１及び第２の端子部２００−１，２００−２を外力から保護する役割も有する。
【００３１】
図７には、第１のバッテリーパック２００−６がバッテリーパックマガジン２００の第１のバッテリー配置部２００Ａに配置された状態を示している。カバー部２００−３の上面は、第１のバッテリーパック２００−６の上面よりも高さｈだけ低い位置にある。このように、カバー部２００−３の各バッテリー配置部の底面（図には第２のバッテリー配置部２００Ｂの底面２００Ｂ−１のみ示す）からの高さは、各バッテリー配置部に配置されたバッテリーパックの高さ以下となるように設定されている。これにより、バッテリーパックマガジン２００の厚みを薄くすることができる。
【００３２】
なお、図７中の２００−９は、バッテリー装置１００の本体との電気接続に用いられるマガジン電源接続部である。
【００３３】
図８には、バッテリーパック２００−６，２００−７が配置されたバッテリーパックマガジン２００をバッテリー装置１００に挿入する途中の状態を示す。また、図９は、バッテリーパックマガジン２００がバッテリー装置１００に挿入された状態でのバッテリー装置１００の断面を上から見て示している。
【００３４】
図８に示すように、バッテリーパックマガジン２００は、バッテリー装置１００の本体に対して、右から左方向に挿入される。これにより、図９に示すように、両バッテリーパック２００−６，２００−７が該装置内に収容される。バッテリーパックマガジン２００の先端は、レリーズスイッチ１０１−１、電子ダイヤル１０１−２、ＡＥ／焦点検出ボタン１０１−３、ＡＦ選択ボタン１０１−４及びＡＶ設定ボタン１０１−５とにより囲まれた空間に進入する。
【００３５】
バッテリーパックマガジン２００のバッテリー装置１００への挿入完了位置に対して所定量手前の位置から挿入完了位置までの間で、マガジン電源接続部２００−９が、バッテリー装置１００の本体に設けられたグリップ電源接続部１０１−１０に接触する。これにより、バッテリーパックマガジン２００上のバッテリーパック２００−６，２００−７とグリップ電源接続部１０１−１０との電気接続が行われる。
【００３６】
また、挿入完了位置においては、挿入操作部材１００−２が時計回り方向に回転操作される。これにより、バッテリーパックマガジン２００の外端面に設けられた挿入操作部材１００−２内のフック部１０１−１１（図７参照）が、バッテリー装置１００の本体に設けられたストッパー１００−６（図８参照）に係合する。この係合により、バッテリーマガジン２００がバッテリー装置１００内にて固定される。
【００３７】
グリップ電源接続部１０１−１０は、バッテリー装置１００の本体の前側内壁に不図示のビスで固定されている。マガジン電源接続部２００−７とグリップ電源接続部１０１−１０は、レリーズスイッチ１０１−１、電子ダイヤル１０１−２及びバッテリーパック２００−７に囲まれた空間に配置されている。グリップ電源接続部１０１−１０と図１に示した外部接続部１００−５とはフレキシブル基板を用いる等して接続されている。外部接続部１００−５は、マガジン電源接続部２００−８から供給される電気エネルギーを撮像装置１１０に供給する。
【００３８】
図９において、１０１−９は実装保持部材であり、上記ボタン１０１−３〜１０１−５の操作状態を検出する部品が実装されている。この実装保持部材１０１−９は、バッテリー装置１００の後側内壁に不図示のビスで固定されている。
【実施例２】
【００３９】
図１０及び図１１には、本発明の実施例２である撮像装置（以下、バッテリー装置一体型カメラという）を示す。
【００４０】
このバッテリー装置一体型カメラ３１０は、実施例１で説明したバッテリー装置と同様に構成されたバッテリー装置を一体に有する。このため、バッテリー装置一体型カメラ３１０には、実施例１で説明した縦位置撮像用操作部材が一体に設けられている。したがって、実施例１のように撮像装置に着脱可能に装着されるアクセサリとしてのバッテリー装置を用いる場合に比べて、バッテリー装置を撮像装置に装着する手間が不要である。
【００４１】
バッテリー装置一体型カメラ３１０の底面部には、実施例１で説明したのと同様の構成を有するバッテリーパックマガジン３００−１が挿入されている。実施例１でも説明したように、バッテリーパックマガジン３００−１上の第１及び第２の端子部が第１及び第２のバッテリー配置部の間において幅方向に位置がずれた互い違いの位置関係に配置されることにより、以下の効果が得られる。
【００４２】
すなわち、第１及び第２のバッテリーパックの突出した端子部を、互いに干渉しないように、バッテリーパックマガジン３００−１の長手方向において互いに近接した位置に又は重なった領域に配置することができる。これにより、第１及び第２のバッテリーパックが配置されるバッテリーパックマガジンの長手方向及びこれを収容するバッテリー装置一体型カメラ３１０の左右方向での小型化を図ることができる。
【００４３】
また、バッテリーパックマガジン３００−１における第１及び第２のバッテリー配置部の間には、実施例１で説明したカバー部が設けられている。これにより、第１及び第２のバッテリーパックの第１及び第２のバッテリー配置部からの動きが制限され、第１及び第２のバッテリーパックの脱落が阻止される。
【００４４】
図１０において、バッテリーパックマガジン３００−１の外面には、実施例１でも説明した挿入操作部材３００−２が設けられている。バッテリーパックマガジンは、図１０の右側から左側に向かってバッテリー装置一体型カメラ３１０に挿入される。
【００４５】
また、図１１に示すように、バッテリー装置一体型カメラ３１０は、縦位置撮像用操作部材を使用可能にするために、縦位置切り替えスイッチ３０１−６を有する。縦位置切り替えスイッチ３０１−６を使用可能位置に切り替えることで、縦位置撮像用操作部材を使用した撮像が可能となる。
【００４６】
バッテリー装置一体型カメラ３１０のグリップ部３２０側における被写体側の面には、縦位置撮像用操作部材の一部であるレリーズスイッチ３０１−１及び電子ダイヤル３０１−２が設けられている。また、撮像者側の面には、ＡＥ／焦点検出ボタン３０１−３及びＡＦ選択ボタン３０１−４が設けられている。
【００４７】
３０１−５はＦＥ（フラッシュエクスポージャー）ボタンである。また、バッテリー装置一体型カメラ３１０の底面には、ストラップ紐を通すストラップ部３０１−７及び三脚に取り付けるための三脚ネジ穴３０１―８が設けられている。
【００４８】
なお、縦位置撮像用操作部材は上述したものに限られず、他の機能を操作するための操作部材を含ませてもよい。また、上述した縦位置撮像用操作部材のうち一部が設けられていなくてもよい。
【００４９】
以上説明した各実施例は代表的な例にすぎず、本発明の実施に際しては、各実施例に対して種々の変形や変更が可能である。
【００５０】
例えば、上記各実施例では、２個のバッテリーパックを収容可能なバッテリー装置を示したが、収容可能なバッテリーパックの数は、３つ以上であってもよい。
【図面の簡単な説明】
【００５１】
【図１】本発明の実施例１であるバッテリー装置の外観斜視図。
【図２】実施例１のバッテリー装置の外観斜視図。
【図３】実施例１のバッテリー装置を撮像装置に取り付けた状態を示す正面図。
【図４】実施例１のバッテリー装置のバッテリーパックマガジン（バッテリーパック未装着状態）を示す上面図。
【図５】実施例１のバッテリーパックマガジン（バッテリーパック２個装着状態）を示す上面図。
【図６】実施例１のバッテリー装置に使用されるバッテリーパックを示す斜視図。
【図７】実施例１のバッテリーパックマガジン（バッテリーパック１個装着状態）を示す斜視図。
【図８】実施例１のバッテリーパックマガジンをバッテリー装置に挿入する途中の状態を示す斜視図。
【図９】実施例１のバッテリー装置の上面断面図。
【図１０】本発明の実施例２であるバッテリー装置一体型カメラを示す正面図。
【図１１】実施例２のバッテリー装置一体型カメラを示す斜視図。
【符号の説明】
【００５２】
１００  バッテリー装置
１００−２  挿入操作部材
１００−３  三脚ダイヤル
１００−５  外部接続部
１００−６  ストッパー
１０１−１  レリーズスイッチ
１０１−２  電子ダイヤル
１０１−３  ＡＥ／焦点検出ボタン
１０１−４  ＡＦ選択ボタン
１０１−５  ＡＶ設定ボタン
１０１−６  縦位置切り替えスイッチ
１０１−１０  グリップ電源接続部
１１０  撮像装置
１２０  グリップ部
２００  バッテリーパックマガジン
２００−１  第１の端子部
２００−２  第２の端子部
２００−３  カバー部
２００−４，２００−５  バネ部材
２００−６，２００−７  バッテリーパック
２００−８  （バッテリーパックの）端子部
２００−９  マガジン電源接続部
３００−２  挿入操作部材
３０１−１  レリーズスイッチ
３０１−２  電子ダイヤル
３０１−３  ＡＥボタン
３０１−４  ＡＦボタン
３０１−５  ＦＥボタン
３０１−６  縦位置切り替えスイッチ
３１０  バッテリー装置一体型カメラ
【図１】
2009170236.tif 000003
【図２】
2009170236.tif 000004
【図３】
2009170236.tif 000005
【図４】
2009170236.tif 000006
【図５】
2009170236.tif 000007
【図６】
2009170236.tif 000008
【図７】
2009170236.tif 000009
【図８】
2009170236.tif 000010
【図９】
2009170236.tif 000011
【図１０】
2009170236.tif 000012
【図１１】
2009170236.tif 000013